(57)【特許請求の範囲】
【請求項１】
壁の上面に載置される第１部材と、前記第１部材の両端部に設けられ、前記壁の側面を保持する第２部材および第３部材とを有する壁クランプ部と、
前記第２部材に固定され、支柱を通す孔を有し、前記孔に前記支柱が通った状態で前記支柱を固定する支柱クランプ部と、
前記第２部材に設けられ、前記第２部材と前記第３部材との間隔を調整する間隔調整部と、
前記第１部材上に設けられ、前記支柱クランプ部の前記孔に前記支柱が通った状態で前記支柱を前記第３部材側から前記第２部材側の方向に押圧することによって、前記支柱クランプ部を変位させることなく前記支柱の傾き角度を調整する角度調整部と、
を備えたことを特徴とする支柱固定具。
【発明の詳細な説明】
【技術分野】
【０００１】
本発明は、支柱固定具に関し、より詳しくは、例えば工事現場で仮囲いのフェンスを取り付けるための支柱を固定する支柱固定具に関する。
【背景技術】
【０００２】
建築現場や工事現場などにおいて、安全性確保、防塵、防風、遮音等の目的で作業場所の周囲をフェンスで囲む仮囲いが行われる。仮囲いを行うには、単管パイプによって支柱を組み上げ、この支柱にフェンスを取り付けるようにしている。
【０００３】
通常、単管パイプによって支柱を組み上げる場合には、地中に捨てパイプを打ち込み、この捨てパイプに支柱パイプやつなぎパイプが取り付けられる。また、支柱パイプには斜めの控えパイプや横パイプが取り付けられる。仮囲いのフェンスは横パイプに取り付けられる。
【０００４】
しかし、仮囲いを行う位置に、予めブロック塀が設けられていたり、地中に配管などの構造物が設けられたりしていると、捨てパイプを打ち込むことができない。そこで、ブロック塀などの構造物を利用して支柱パイプを固定する必要が生じる。
【０００５】
特許文献１には、ブロック手摺に取り付ける金具が開示される。この金具はコンクリート手摺を跨ぐように取り付けられる。そして、この金具に仮設足場を繋ぐことで、コンクリート手摺と仮設足場との間隔を確保している。また、特許文献２には、ベランダの側壁にブラケットを固定し、このブラケットに足場の支柱を取り付ける足場固定具が開示される。
【先行技術文献】
【特許文献】
【０００６】
【特許文献１】特開２００４−０９２０５６号公報
【特許文献２】特開２０１１−１４４４９５号公報
【発明の概要】
【発明が解決しようとする課題】
【０００７】
しかしながら、特許文献１、２のいずれの技術においてもブロック手摺やベランダの側壁（以下、単に「壁」と言う。）と足場の支柱との間隔を確保するための構造であり、壁を利用して支柱を確実に固定するには不十分である。すなわち、壁に金具やブラケットを固定しているものの、支柱を単に通すだけの構造であり、支柱そのものを支える構造ではない。
【０００８】
本発明の目的は、壁を利用して支柱を確実に支えることができる支柱固定具を提供することである。
【課題を解決するための手段】
【０００９】
上記課題を解決するため、本発明の支柱固定具は、壁の上面に載置される第１部材と、第１部材の両端部に設けられ、壁の側面を保持する第２部材および第３部材とを有する壁クランプ部と、第２部材に固定され、支柱を通す孔を有し、孔に支柱が通った状態で支柱を固定する支柱クランプ部と、支柱クランプ部の孔に支柱が通った状態で支柱の角度を調整する角度調整部と、を備えたことを特徴とする。
【００１０】
このような構成によれば、壁クランプ部を壁に固定した状態で、支柱クランプ部の孔に支柱を通し、支柱を固定することができる。したがって、支柱は支柱クランプ部および壁クランプ部を介して壁に確実に固定される。また、角度調整部によって支柱の角度を調整することができる。
【００１１】
本発明の支柱固定具において、第２部材および第３部材の少なくとも一方に設けられ、第２部材と第３部材との間隔を調整する間隔調整部を有していてもよい。これにより、壁の厚さに応じて第２部材と第３部材との間隔を調整することができ、壁クランプ部を壁に確実に固定することができる。
【００１２】
本発明の支柱固定具において、支柱クランプ部の支柱の通る方向の長さは、第２部材の前記方向の長さ以上であってもよい。これにより、支柱を通す孔の長さを十分に確保でき、支柱クランプ部に支柱を強固に固定することができる。
【００１３】
本発明の支柱固定具において、支柱クランプ部は、孔に支柱が通った状態で支柱を第２部材側に押圧する締結部を有していてもよい。この締結部による押圧力によって、支柱を支柱クランプ部に確実に締結固定することができる。
【００１４】
本発明の支柱固定具において、支柱クランプ部は、孔に支柱が通った状態で支柱の下端を受ける受け部材を有していてもよい。これにより、受け部材によって支柱の下端を支えることができ、支柱の下端を地面から浮かせた状態で確実に支持することができる。
【００１５】
本発明の支柱固定具において、支柱クランプ部は壁クランプ部と隣接して設けられていてもよい。これにより、支柱クランプ部と壁クランプ部との距離が短くなり、支柱から支柱固定具に加わるモーメントを小さくして、支柱を安定して支持することができる。
【発明の効果】
【００１６】
本発明によれば、壁を利用して支柱を確実に支えることができる支柱固定具を提供することが可能になる。
【図面の簡単な説明】
【００１７】
【図１】本実施形態に係る支柱固定具を説明する斜視図である。
【図２】本実施形態に係る支柱固定具を説明する正面図である。
【図３】支柱の固定方法を説明する正面図（その１）である。
【図４】支柱の固定方法を説明する正面図（その２）である。
【図５】他の支柱の固定方法を説明する正面図である。
【図６】仮囲いの例を説明する斜視図である。
【図７】他の仮囲いの例を説明する斜視図である。
【発明を実施するための形態】
【００１８】
以下、本発明の実施形態を図面に基づいて説明する。なお、以下の説明では、同一の部材には同一の符号を付し、一度説明した部材については適宜その説明を省略する。
【００１９】
［支柱固定具の構成］
図１に示すように、本実施形態に係る支柱固定具１は、コンクリートブロック塀のような壁Ｗを利用して単管パイプ等の支柱ＳＴを強固に固定する器具である。支柱固定具１は、壁クランプ部１０と、支柱クランプ部２０と、角度調整部３０とを備える。壁クランプ部１０は、壁Ｗの上面に載置される第１部材１１と、第１部材１１の両端部に設けられ、壁Ｗの側面を保持する第２部材１２および第３部材１３とを有する。壁クランプ部１０は、壁Ｗの上面に載せられた状態で壁Ｗの両側面を挟むようにして固定される。
【００２０】
第１部材１１には、第１部材１１を補強するリブ１１０が設けられる。リブ１１０は例えば角パイプ状の部材であり、第１部材１１の壁Ｗとは反対側の面に溶接等によって接続される。第１部材１１の壁Ｗの上面側の面にはクッション材Ｃが設けられていてもよい。
【００２１】
第２部材１２および第３部材１３は、第１部材１１の両端から下方に向けて延びるように第１部材１１に接続される。第２部材１２と第３部材１３との間で壁Ｗを挟むため、第２部材１２には間隔調整部が設けられる。間隔調整部は、固定部１２１と、可動部１２２と、ボルトＢ１とを有する。ボルトＢ１を回すことで可動部１２２が固定部１２１に対して可動し、対向配置される可動部１２２と第３部材１３との間隔が調整される。間隔調整部によって可動部１２２と第３部材１３との間隔を壁Ｗの幅に合わせ、ボルトＢ１を締め込むことで、壁クランプ部１０が壁Ｗに確実に固定される。可動部１２２および第３部材１３の壁Ｗの側面側の面にはクッション材Ｃが設けられていてもよい。
【００２２】
第１部材１１、固定部１２１および第３部材１３は、一枚の金属板を折り曲げることで一体的に形成されていてもよい。一体的に形成されることで、部品点数の削減、および各部の溶接などの接合が不要になる。
【００２３】
支柱クランプ部２０は、第２部材１２に固定され、支柱ＳＴを通す孔２１を有する。支柱クランプ部２０は、孔２１に支柱ＳＴを通した状態でボルトＢ２によって支柱ＳＴを固定する。支柱クランプ部２０は第２部材１２の固定部１２１に隣接する状態で固定される。支柱クランプ部２０は例えば角パイプによって構成され、固定部１２１と面接触した状態で溶接等によって接合される。
【００２４】
図２に示すように、支柱クランプ部２０の長さ（支柱ＳＴの通る方向の長さ）は、第２部材１２の固定部１２１の長さ以上が好ましい。支柱クランプ部２０が固定部１２１に隣接して固定され、固定部１２１以上の長さで設けられていることで、支柱ＳＴを確実に固定することができる。
【００２５】
すなわち、支柱ＳＴは孔２１に通された状態で、少なくとも２箇所のボルトＢ２で固定される。支柱クランプ部２０と固定部１２１とが隣接して固定されていることで、支柱クランプ部２０に固定された支柱ＳＴは、固定部１２１側に押圧された状態で固定される。支柱ＳＴと固定部１２１とが隣接して固定されることで、壁Ｗと支柱ＳＴとの距離が短くなり、支柱ＳＴから固定部１２１（壁クランプ部１０）に加わるモーメントを少なくすることができる。
【００２６】
支柱クランプ部２０には、支柱ＳＴの下端を受けるボルトＢ３（受け部材）が設けられていてもよい。ボルトＢ３は、２本のボルトＢ２のうち下方のボルトＢ２よりも下に設けられる。受け部材については後述するが、ボルトＢ３の先端を孔２１に突出させることで、支柱ＳＴの下端を受けることができる。
【００２７】
角度調整部３０は、支柱クランプ部２０の孔２１に支柱ＳＴが通った状態で支柱ＳＴの角度を調整する部分である。角度調整部３０は、固定板３１と、ボルトＢ４とを備える。固定板３１はリブ１１０の上面に溶接等によって固定される。ボルトＢ４は固定板３１に対して進退可能に螺合される。支柱ＳＴが孔２１に通った状態でボルトＢ４を締め込み、支柱ＳＴを押圧することによって、支柱ＳＴの角度が調整される。
【００２８】
角度調整部３０は、孔２１よりも第３部材１３側に設けられていることが望ましい。通常、支柱ＳＴは壁Ｗの内側（敷地内側）に設置される。すなわち、本実施形態に係る支柱固定具１は、第２部材１２が内側、第３部材１３が外側になるよう壁Ｗに取り付けられる。角度調整部３０が孔２１よりも第３部材１３側に設けられていると、角度調整部３０によって支柱ＳＴを外側から内側に押圧することができる。これにより、支柱ＳＴが敷地外の方向に傾いていても、角度調整部３０によって敷地内側へ押圧して、敷地外へ飛び出ることを防止することができる。
【００２９】
なお、本実施形態では１つの角度調整部３０を設ける例を示しているが、複数の角度調整部３０を設けてもよい。この場合、支柱ＳＴの軸の周りに互いに異なる方向に押圧できるよう複数の角度調整部３０を設けておくことで、支柱ＳＴの軸に対する角度を自在に調整することができる。
【００３０】
［支柱の固定方法］
次に、本実施形態に係る支柱固定具１を用いた支柱ＳＴの固定方法について説明する。
先ず、図３（ａ）に示すように、壁Ｗの上面側から支柱固定具１を嵌め込む。すなわち、支柱固定具１のボルトＢ１を緩めて可動部１２２と第３部材１３との間隔を壁Ｗの間隔よりも広くしておき、第１部材１１を壁Ｗの上面に載置するように支柱固定具１を嵌め込む。
【００３１】
次に、図３（ｂ）に示すように、支柱固定具１を壁Ｗに嵌め込んだ状態でボルトＢ１を締め込む。これにより可動部１２２と第３部材１３との間隔が狭くなり、両者間で壁Ｗの側面を挟み込むことができる。これにより、支柱固定具１が壁Ｗに固定される。
【００３２】
次に、図４（ａ）に示すように、支柱クランプ部２０の孔２１に支柱ＳＴを差し込む。支柱ＳＴは、例えば孔２１の上から挿入される。そして、支柱ＳＴを所定の深さまで差し込んだ状態でボルトＢ２によって支柱ＳＴを固定する。支柱ＳＴの下端は必ずしも地中まで達していなくてよい。ボルトＢ２によって支柱ＳＴを固定するため、支柱ＳＴは地中から浮いた状態でも確実に固定される。本実施形態では、ボルトＢ２によって支柱ＳＴを壁クランプ部１０側に押圧することから、支柱ＳＴは壁クランプ部１０（固定部１２１）と隣接するように固定される。
【００３３】
支柱ＳＴを支柱クランプ部２０に固定した状態で、支柱ＳＴが垂直軸に対して傾いている場合もあり得る。そこで、図４（ｂ）に示すように、角度調整部３０のボルトＢ４によって支柱ＳＴを押圧して、支柱ＳＴの傾きを直すことができる。
【００３４】
なお、図５に示すように、支柱クランプ部２０のボルトＢ３を締めて、ボルトＢ３の先端を孔２１に突出させると、孔２１に差し込まれる支柱ＳＴの下端をボルトＢ３で受けることができる。すなわち、ボルトＢ３によって支柱ＳＴの下端を受けることで、支柱ＳＴの下端の位置を容易に決めることができる。また、万が一、ボルトＢ２による締結力が弱かった場合でも、支柱ＳＴが下方へずれ落ちることを防止することができる。
【００３５】
本実施形態に係る支柱固定具１を仮囲い用の支柱ＳＴの固定に用いる場合、固定した支柱ＳＴを利用してフェンスの取り付けを行う。仮囲いを行う場合、図６に示すように、本実施形態に係る支柱固定具１を複数個用意し、所定の間隔で壁Ｗの上面側に固定する。各支柱固定具１にはそれぞれ縦方向に支柱ＳＴを固定する。本実施形態の支柱固定具１を用いることで、壁Ｗがあっても支柱ＳＴを確実かつ安定して固定することができる。
【００３６】
複数の縦の支柱ＳＴを固定した後は、複数の縦の支柱ＳＴを横に繋ぐ横パイプＰを取り付ける。横パイプＰは支柱ＳＴに直交ジョイント（又は「直交クランプ」とも言う。）Ｊによって固定される。この際、複数の支柱ＳＴの横方向の間隔は、横パイプＰを繋ぐことで決められる。横パイプＰは、必要に応じて複数段設けられる。
【００３７】
横パイプＰを取り付けた後は、横パイプＰにフェンスＦを取り付ける。複数枚のフェンスＦを隣接して横パイプＰに取り付けることで仮囲いが構成される。このように、本実施形態に係る支柱固定具１を用いることで、壁Ｗを利用して支柱ＳＴを強固に固定することができ、壁Ｗがあっても仮囲いのフェンスＦを設置することができる。また、敷地の境界に壁Ｗがあっても支柱ＳＴを敷地側に立てることができ、フェンスＦが敷地外にはみ出ることを防止することができる。
【００３８】
なお、図７に示すように、本実施形態に係る支柱固定具１を、壁Ｗの控壁ＷＢの上面側に取り付けることもできる。控壁ＷＢは壁Ｗに対して所定の間隔で設けられ、壁Ｗの倒れを防止する役目を果たす。控壁ＷＢは壁Ｗに対して直交する方向に設けられる。したがって、本実施形態に係る支柱固定具１を控壁ＷＢに固定する場合には、図６に示す場合に対して９０度回転させた状態で固定される。
【００３９】
このように、本実施形態に係る支柱固定具１を用いることで、壁Ｗを利用して支柱ＳＴを確実に固定することができる。また、敷地内の地中に配管等の敷設物が埋設されていて、捨てパイプ等を打ち込めない場合でも、支柱ＳＴを地中に埋めることなく支持することができる。
【００４０】
また、仮囲いの支柱ＳＴを支持する場合、風圧がフェンスＦに加わると支柱ＳＴに大きな負荷がかかる。本実施形態に係る支柱固定具１では、壁Ｗを挟むように壁クランプ部１０を固定するとともに、壁クランプ部１０から近い位置に支柱ＳＴを固定することができるため、支柱ＳＴから支柱固定具１に加わるモーメントを小さくすることができる。したがって、フェンスＦを取り付けるための支柱ＳＴを安定して支持することができる。
【００４１】
以上説明したように、実施形態によれば、壁Ｗを利用して支柱ＳＴを確実に支えることができる支柱固定具１を提供することが可能になる。
【００４２】
なお、上記に本実施形態を説明したが、本発明はこれらの例に限定されるものではない。例えば、前述の実施形態に対して、当業者が適宜、構成要素の追加、削除、設計変更を行ったものも、本発明の要旨を備えている限り、本発明の範囲に含有される。
【符号の説明】
【００４３】
１…支柱固定具
１０…壁クランプ部
１１…第１部材
１２…第２部材
１３…第３部材
２０…支柱クランプ部
２１…孔
３０…角度調整部
３１…固定板
１１０…リブ
１２１…固定部
１２２…可動部
Ｂ１〜Ｂ４…ボルト
Ｃ…クッション材
Ｆ…フェンス
Ｊ…直交ジョイント（直交クランプ）
Ｐ…横パイプ
ＳＴ…支柱
Ｗ…壁
ＷＢ…控壁
【要約】
【課題】壁を利用して支柱を確実に支えることができる支柱固定具を提供すること。
【解決手段】本発明の支柱固定具は、壁の上面に載置される第１部材と、第１部材の両端部に設けられ、壁の側面を保持する第２部材および第３部材とを有する壁クランプ部と、第２部材に固定され、支柱を通す孔を有し、孔に支柱が通った状態で支柱を固定する支柱クランプ部と、支柱クランプ部の孔に支柱が通った状態で支柱の角度を調整する角度調整部と、を備えたことを特徴とする。
【選択図】図１【図１】
0005877573.tif 000002
【図２】
0005877573.tif 000003
【図３】
0005877573.tif 000004
【図４】
0005877573.tif 000005
【図５】
0005877573.tif 000006
【図６】
0005877573.tif 000007
【図７】
0005877573.tif 000008